【手続補正書】
【提出日】平成17年1月4日(2005.1.4)
【手続補正１】
【補正対象書類名】特許請求の範囲
【補正対象項目名】全文
【補正方法】変更
【補正の内容】
【特許請求の範囲】
【請求項１】
以下を含む、標的アナライトと捕捉プローブとのあいだの結合を決定するための多重化マイクロアッセイを実施するためのバイオサイトを有する反応基体を調製する装置：
各管が近位末端と遠位末端とを有する、複数の毛管；
そのような毛管の遠位末端から離れた点で上記の毛管を保持するための結合部位；
その遠位末端付近で各毛管をスライド可能に保持し、各毛管のその遠位末端を結合部位に対して移動させるためのアレイ鋳型；
各供給チャンバーが少なくとも一つの対応する毛管に液体試薬を供給することができる、対応する供給チャンバー内に各毛管の近位末端を位置決めするための少なくとも一つのマニホルド；および
上記の反応基体に対してアレイ鋳型と上記の毛管とを正確に位置決めして、バイオサイトとしての上記の反応基体上に上記の毛管の上記の遠位末端から液体試薬を固着するための位置決め装置。
【請求項２】
上記の複数の毛管が、中心間間隔が約80 μm〜約５mm離れている管約２〜約10,000個を含む、請求項１記載の装置。
【請求項３】
各供給チャンバーが毛管一つのみを供給する、請求項１記載の装置。
【請求項４】
供給チャンバーが複数の毛管を供給する、請求項１記載の装置。
【請求項５】
上記の毛管がステンレス鋼、プラスチック、ゴム、ガラス、またはポリイミドをコーティングした融解石英を含む、請求項１記載の装置。
【請求項６】
上記の装置に複数のアレイ鋳型が含まれる、請求項１記載の装置。
【請求項７】
上記の反応基体を正確に位置決めするための位置決め装置をさらに含む、請求項１記載の装置。
【請求項８】
上記の毛管の内径が約10〜約200 μmで、外径が約80〜約500μmである、請求項１記載の装置。
【請求項９】
各スリーブが、毛管がその中をスライドするために十分な内径と、液体を上記の反応基体に固着しながら正確なパターンを維持するために十分な長さとを有する、上記のアレイ鋳型がスリーブのアレイを含む、請求項１記載の装置。
【請求項１０】
上記のアレイ鋳型が強固な材料で形成された複数の孔を含む、請求項１記載の装置。
【請求項１１】
上記のアレイが強固に形成または保持されたメッシュを含む、請求項１記載の装置。
【請求項１２】
上記の供給チャンバーを含むためのハウジングをさらに含む、請求項１記載の装置。
【請求項１３】
上記のハウジングが不活性雰囲気を維持することができる、請求項12記載の装置。
【請求項１４】
上記のハウジングが上昇または低下した温度を維持することができる、請求項12記載の装置。
【請求項１５】
上記のハウジングを既定の圧に加圧してもよい、請求項12記載の装置。
【請求項１６】
上記の圧が上記の毛管の中の液体試薬の流動を制御するように調節される、請求項15記載の装置。
【請求項１７】
上記の供給チャンバーが圧力ヘッドを提供するために上記の毛管の遠位末端より高い位置に存在する、請求項１記載の装置。
【請求項１８】
液体試薬の固着が電気泳動手段によって制御される、請求項１記載の装置。
【請求項１９】
液体試薬の供給が電気浸透によって制御される、請求項１記載の装置。
【請求項２０】
それぞれが上記の毛管のサブセットに液体試薬を供給するためである、上記の装置に多数のセットの供給チャンバーが含まれる、請求項１記載の装置。
【請求項２１】
上記の毛管が上記の結合部位と上記のアレイ鋳型とのあいだで自由に曲がる、請求項１記載の装置。
【請求項２２】
反応基体が、固着されたバイオサイトの幾何学配置にマッチする反応領域パターンを規定するようにプレエッチングされている、請求項１記載の装置。
【請求項２３】
上記のバイオサイトが実質的に同時に固着される、請求項１記載の装置。
【請求項２４】
各バイオサイトが互いのバイオサイトとは流体的に分離されている、請求項１記載の装置。
【請求項２５】
液体試薬が少なくとも一つの捕捉プローブを含む、請求項１記載の装置。
【請求項２６】
以下を含むアッセイ装置として用いるための反応基体を調製する装置：
そのような毛管の遠位末端から離れた点で複数の柔軟性毛管を保持するための結合部位；
各供給チャンバーが少なくとも一つの対応する毛管に液体試薬を供給することができる、対応する供給チャンバー内に各毛管の近位末端を位置決めするための構造；
複数の毛管をその遠位末端付近で保持して、上記の反応基体上にバイオサイトとして液体試薬を固着するために上記の反応試薬に対して上記の毛管の遠位末端を正確に位置決めするためのプリントヘッド。
【請求項２７】
プリントヘッドがインクジェット固着装置を含む、請求項26記載の装置。
【請求項２８】
各バイオサイトが反応基体に結合した単一のタイプの捕捉プローブを含み、バイオサイトのアレイが毛管束プリンター装置によって反応基体上に固着され、毛管束装置が以下を含む、上記の反応基体上にバイオサイトのアレイを平行的にプリントする段階を含む、アッセイ装置として用いるための反応基体を調製する方法：
各管が近位末端と遠位末端とを有する、複数の毛管束；
毛管の遠位末端から離れた点で毛管束を保持するための結合部位；
その遠位末端付近で各毛管をスライド可能に保持し、各毛管のその遠位末端を結合部位に対して移動させるためのアレイ鋳型；
各供給チャンバーが少なくとも一つの対応する毛管に液体試薬を供給することができる、対応する供給チャンバー内に各毛管の近位末端を位置決めするための少なくとも一つのマニホルド；および
上記の反応基体に対して、アレイ鋳型と毛管束とを正確に位置決めして、バイオサイトとしての上記の反応基体に毛管の遠位末端から液体試薬を固着するための位置決め装置。
【請求項２９】
複数の毛管束が、中心間間隔が約80 μm〜約５mm離れている管約２〜約10,000個を含む、請求項28記載の方法。
【請求項３０】
各供給チャンバーが毛管１個のみに供給する、請求項28記載の方法。
【請求項３１】
供給チャンバーが複数の毛管束に供給する、請求項28記載の方法。
【請求項３２】
毛管束がステンレス鋼、プラスチック、ゴム、ガラス、テフロン（登録商標）、柔軟性金属、またはポリイミドをコーティングした融解石英を含む、請求項28記載の方法。
【請求項３３】
装置が複数のアレイ鋳型を含む、請求項28記載の方法。
【請求項３４】
反応基体を正確に位置決めするための位置決め装置をさらに含む、請求項28記載の方法。
【請求項３５】
毛管の内径が約10〜約200 μmで、外径が約80〜約500μmである、請求項28記載の方法。
【請求項３６】
各スリーブが、毛管がその中をスライドするために十分な内径と、液体を反応基体上に固着しながら正確なパターンを維持するために十分な長さとを有する、アレイ鋳型がスリーブのアレイを含む、請求項28記載の方法。
【請求項３７】
アレイ鋳型が強固な材料で形成された複数の孔を含む、請求項28記載の方法。
【請求項３８】
アレイ鋳型が強固に形成または保持されたメッシュを含む、請求項28記載の方法。
【請求項３９】
供給チャンバーを含むためのハウジングをさらに含む、請求項28記載の方法。
【請求項４０】
ハウジングが不活性雰囲気を維持することができる、請求項39記載の方法。
【請求項４１】
ハウジングが上昇または低下した温度を維持することができる、請求項39記載の方法。
【請求項４２】
ハウジングを既定の圧に加圧してもよい、請求項39記載の方法。
【請求項４３】
圧が毛管の中の液体試薬の流動を制御するように調節される、請求項42記載の方法。
【請求項４４】
供給チャンバーが、圧力ヘッドを提供するために毛管の遠位末端より高い位置に存在する、請求項28記載の方法。
【請求項４５】
液体試薬の固着が電気泳動手段によって制御される、請求項28記載の方法。
【請求項４６】
液体試薬の供給が電気浸透によって制御される、請求項28記載の方法。
【請求項４７】
それぞれが毛管束のサブセットに液体試薬を供給するためである、多数のセットの供給チャンバーが装置に含まれる、請求項28記載の方法。
【請求項４８】
毛管束が結合部位と上記のアレイ鋳型とのあいだで自由に曲がる、請求項28記載の方法。
【請求項４９】
反応基体が、固着されたバイオサイトの幾何学的配置にマッチする反応領域パターンを規定するようにプレエッチングされている、請求項28記載の方法。
【請求項５０】
バイオサイトが実質的に同時に固着される、請求項28記載の方法。
【請求項５１】
各バイオサイトが互いのバイオサイトとは流体的に分離されている、請求項28記載の方法。
【請求項５２】
バイオサイトのアレイが毛管束プリンター装置によって一プリントする段階で反応基体上に固着される、請求項28記載の方法。
【請求項５３】
位置決め装置がZ-軸運動制御をさらに含む、請求項28記載の方法。
【請求項５４】
反応基体がロボットアームによって毛管束に運搬される、請求項28記載の方法。
【請求項５５】
毛管束がロボットアームに固定される、請求項28記載の方法。
【請求項５６】
反応基体がナイロン膜、ポリプロピレン、ポリスチレン、ビニル、プラスチック、またはガラスを含む、請求項28記載の方法。
【請求項５７】
アレイ鋳型が金属格子、メッシュ、強固に保持された布メッシュ、流体運搬毛管の収容を可能にするために十分な内径を有するスリーブ管の束、または孔もしくはチャネルを有する固体ブロックを含む、請求項28記載の方法。
【請求項５８】
各バイオサイトが直径約25〜約200 μmのスポットを含む、請求項28記載の方法。
【請求項５９】
上記の反応基体が光学的に透明で、厚み約50〜約300 μmを有する、請求項28記載の方法。
【請求項６０】
各バイオサイトが上記の反応基体に結合した単一のタイプの捕捉プローブを含み、バイオサイトのアレイが毛管束プリンター装置によって反応基体上に固着され、毛管束装置が以下を含む、アッセイ装置として用いるための反応基体を調製する方法：
各管が近位末端と遠位末端とを有する、複数の毛管束；
毛管の遠位末端から離れた点で毛管束を保持するための結合部位；
各供給チャンバーが少なくとも一つの対応する毛管に液体試薬を供給することができる、対応する供給チャンバー内に各毛管の近位末端を位置決めするための構造；
複数の毛管束をその遠位末端付近で固定して、バイオサイトとしての反応基体上に液体試薬を固着するために、反応基体に対して毛管の遠位末端を正確に位置決めするためのプリントヘッド。
【請求項６１】
プリントヘッドにインクジェット位置決め装置が含まれる、請求項60記載の方法。
【請求項６２】
液体試薬が少なくとも一つの捕捉プローブを含む、請求項60記載の方法。